(57)【要約】【課題】ラベルプリンタやカードプリンタ等比較的高速、大量に記録する装置では記録媒体の残数の正確な検出難しい【課題を解決するための手段】ＲＦ−ＩＤ等無線通信素子内蔵する記録媒体を使用する場合、先頭のＲＦ−ＩＤ素子内のメモリに常に残り枚数を書き込むようにする。又同じ情報を本体メモリにも書き込み両者を照合し、異なっていれば用紙が交換されたと判断する。【選択図】　　図１
2004058362.tif 000002
【特許請求の範囲】
【請求項１】
記録媒体表面に記録する記録手段と、無線通信素子との通信手段を有する記録装置において、
前記記録媒体に内蔵する無線通信素子から読み出した情報をもとに、記録可能な記録媒体の残り枚数を検出する検出手段と、
前記検出手段で検出した残り枚数を記憶するメモリと、
前記メモリに記憶された記録媒体の残り枚数と、記録しようとする記録枚数を比較する比較手段と、
前記メモリに記憶された残り枚数を更新する更新手段をもつことを特徴とする記録装置。
【請求項２】
前記記録媒体とは連続的に結合された複数のラベルであることを特徴とする記録装置。
【請求項３】
前記通信手段で読み出す情報とは、先頭の記録媒体に内蔵された無線通信素子の情報であることを特徴とする請求項１に記載の記録装置。
【請求項４】
前記メモリは記録装置本体にあることを特徴とする請求項１から３に記載の記録装置。
【請求項５】
前記比較手段で比較するのは記録動作前であることを
特徴とする請求項１から４に記載の記録装置。
【請求項６】
前記比較手段で比較した結果、記録媒体の残り枚数が記録枚数より少ない場合、報知することを特徴とする請求項１から５に記載の記録装置。
【請求項７】
前記更新手段が前記メモリを更新するのは記録動作終了後であることを特徴とする請求項１から６に記載の記録装置。
【請求項８】
前記更新手段が前記メモリを更新する値は記録動作後の残り枚数であることを特徴とする請求項１から７に記載の記録装置。
【請求項９】
前記更新手段が更新するメモリとは未記録部の先頭記録媒体に内蔵されたメモリであることを特徴とする請求項１から８に記載の記録装置。
【請求項１０】
前記更新手段は記録装置本体内部メモリと、前記未記録部の先頭記録媒体に内蔵されたメモリとを更新することを特徴とする請求項１から９に記載の記録装置。
【請求項１１】
記録動作開始前、前記記録装置本体内部メモリと、前記未記録部の先頭記録媒体に内蔵されたメモリとを比較する第２の比較手段を有することを特徴とする請求項１０に記載の記録装置。
【請求項１２】
前記第２の比較手段により比較した結果、不一致の場合、記録媒体が交換されたと判定する判定手段を有することを特徴とする請求項１１に記載の記録装置。
【請求項１３】
記録媒体表面に記録する記録手段と、無線通信素子と通信する複数の無線通信手段を有する記録装置において、
第１の無線通信手段が読み出した情報をもとに、残り枚数を検出する検出手段と、
前記検出手段で検出した残り枚数を記憶するメモリと、
前記メモリに記憶された記録媒体の残り枚数と記録枚数を比較する比較手段と、前記メモリに記憶された残り枚数を更新する更新手段と、
更新された残り枚数を無線通信素子に書き込む第２の無線通信手段をもつことを特徴とする記録装置。
【請求項１４】
前記第１の無線通信手段で読み出す情報とは、先頭の記録媒体に内蔵された無線通信素子の情報であることを特徴とする請求項１３に記載の記録装置。
【請求項１５】
前記更新手段が前記メモリを更新するのは記録動作終了後であることを特徴とする請求項１３、１４に記載の記録装置。
【請求項１６】
前記更新手段が前記メモリを更新する値は記録動作後の残り枚数であることを特徴とする請求項１３から１５に記載の記録装置。
【請求項１７】
前記第２の無線通信手段が書き込む無線通信素子とは、未記録部の先頭記録媒体に内蔵されたメモリであることを特徴とする、請求項１３から１６に記載の記録装置。
【請求項１８】
前記更新手段は記録装置本体内部メモリと、前記未記録部の先頭記録媒体に内蔵されたメモリとを更新することを特徴とする請求項１３から１７に記載の記録装置。
【請求項１９】
記録動作開始前、前記記録装置本体内部メモリと、前記未記録部の先頭記録媒体に内蔵されたメモリとを比較する第２の比較手段を有することを特徴とする請求項１３に記載の記録装置。
【請求項２０】
前記第２の比較手段により比較した結果、不一致の場合、記録媒体が交換されたと判定する判定手段を有することを特徴とする請求項１９に記載の記録装置。
【請求項２１】
前記第１の無線通信手段にて情報が読み出せなかった場合、前記第２の無線通信手段にて全ての無線通信素子の情報を読み出し、残り枚数を検出することを特徴とする請求項１３から２０に記載の記録装置。
【請求項２２】
記録媒体が交換された場合、前記第２の無線通信手段で全ての無線通信素子の情報を読み出し、残り枚数を検出することを特徴とする請求項１３から２１に記載の記録装置。
【請求項２３】
前記通信手段、無線通信手段とは、ＲＦ−ＩＤタグであることを特徴とする、請求項１から２２に記載の記録装置。
【請求項２４】
記録媒体が交換された場合、先頭記録媒体に内蔵された素子に書き込む残り枚数を予め設定することを特徴とする請求項１から２３に記載の記録装置。
【請求項２５】
記録媒体に記録する記録手段と、
前記記録媒体に含まれる記憶手段から読み出した情報に基づき、記録可能な記録媒体の残量を検出する検出手段と、
前記検出手段により検出した残量を記憶する記憶手段と、
前記記憶手段に記憶されている残量と前記記憶媒体に記録すべき量とを比較する比較手段と、
前記記憶手段に記憶されている残量を更新する更新手段とを備えた記録装置。
【請求項２６】
前記更新手段は残量を前記記録媒体に記憶させることを特徴とする請求項２５に記載の記録装置
【請求項２７】
前記更新手段は残量を未記録の先頭記録媒体に記憶させることを特徴とする請求項２６に記載の記録装置
【請求項２８】
記録媒体に記録する記録手段と、
前記記録媒体に含まれる記憶手段から読み出した情報に基づき、記録可能な記録媒体の残量を検出する検出手段と、
前記検出手段により検出した残量を記憶する記憶手段と、
前記記憶手段に記憶されている残量と前記記憶媒体に記録すべき量とを比較する比較手段と、
前記比較結果を報知する報知手段とを備えた記録装置。
【請求項２９】
前記報知手段は外部装置に通信線を介して比較結果を報知することを特徴とする請求項２８記載の記録装置
【発明の詳細な説明】
【０００１】
【発明の属する技術分野】
本発明は、非接触ＩＣを搭載した記録装置及び、その記録媒体の残り枚数検知方法及び残り枚数管理に関する。
【０００２】
【従来の技術】
記録媒体に対して記録を行う画像記録装置は、例えば、長尺のロール紙に対して記録を行うロール紙対応の記録装置や、名刺や葉書、封筒等のカット紙に記録するカット紙対応の記録装置があり、記録装置内部には記録ヘッド、記録媒体の搬送機構、記録媒体を繰り出す記録媒体供給部などを備え、ホストＰＣから送信された画像データの記録を行う。
【０００３】
記録方式はインクジェット方式や熱転写方式などが存在し、印字色数により複数本の記録ヘッドを搭載しているものもある。
【０００４】
まず、ロール紙対応の記録装置について述べると記録媒体供給部は、搬送動作に追従して回転可能な軸にロール紙の巻芯を装着する方式のものが一般的である。
【０００５】
使用される記録媒体には、台紙にラベル片が連続的に仮着されたラベル紙や、粘着層を有しない厚紙から成るタグ紙などの種類がある。
【０００６】
また同種のロール紙においても、用紙幅、ラベル片の搬送方向長さ、ラベル片同士の間隔、ミシン目入りのタグ紙についてはその間隔などでさらに細かく分類される。
【０００７】
ホストＰＣ上で作成された画像データ、あるいは用途に応じてロール紙の種類やサイズを選択して記録媒体供給部にロール紙を装着する。
【０００８】
このような構成のロール紙対応の記録装置においては、ロール紙の交換時期の目安とする目的でロール紙の残枚数検出機能を有する場合がある。
【０００９】
これには、ロール紙の残りが僅かであることを示すニアエンドや、用紙切れ警告などを操作者に対して通知する機能も含む。
【００１０】
従来のロール紙残り枚数検出方法として、例えば次のような方法が挙げられる。
【００１１】
例えばロール紙を装着した軸の回転を検知する方法で、光学センサなどで軸の回転数、あるいは回転速度を検知し、搬送手段に繰り出されたロール紙の量と比較することで、ロール紙外径を算出、これにより残枚数を検出する方法である。
【００１２】
別な方法として、アーム状の角度検出手段を使用する方法で、バネなどの押圧手段によりロール紙外周に前記のアームを押さえつけ、その角度によってロール紙外径を検知し、残枚数を算出する。
【００１３】
一方、カット紙の残り枚数検出方法としては、次のような方法が挙げられる。
【００１４】
カット紙を積載したトレイの移動距離を検知する方法で、トレイの上下移動に使用されるパルスモータのパルス数やエンコーダのパルス数を検知して移動距離（パルス数）によって、残枚数を検出する方法である。
【００１５】
他の方法では例えば、カット紙を積載したトレイの現在位置を検知する方法で、トレイがニアエンド位置であることと、カット紙の厚みにより残枚数を算出する方法等である。
【００１６】
【発明が解決しようとする課題】
上記従来の方法によると何れの方法によっても正確な残枚数検出が難しいという問題がある。
【００１７】
特に比較的大量の記録動作を行う場合に、現在装着された記録媒体で中断なく記録が完了できるかを予め判定可能な方法、装置を実現する。
【００１８】
【問題を解決する為の手段】
本発明による画像記録装置は上記目的を達成するために、下記の各手段を実施した。
【００１９】
記録媒体表面に記録する記録手段と、無線通信素子との通信手段を有する記録装置において、
前記記録媒体に内蔵する無線通信素子から読み出した情報をもとに、記録可能な記録媒体の残り枚数を検出する検出手段と、
前記検出手段で検出した残り枚数を記憶するメモリと、
前記メモリに記憶された記録媒体の残り枚数と、記録しようとする記録枚数を比較する比較手段と、
前記メモリに記憶された残り枚数を更新する更新手段をもつことを特徴とする記録装置。
【００２０】
前記記録媒体とは連続的に結合された複数のラベルであることを特徴とする記録装置。
【００２１】
前記通信手段で読み出す情報とは、先頭の記録媒体に内蔵された無線通信素子の情報であることを特徴とする記録装置。
【００２２】
前記メモリは記録装置本体にあることを特徴とする記録装置。
【００２３】
前記比較手段で比較するのは記録動作前であることを
特徴とする記録装置。
【００２４】
前記比較手段で比較した結果、記録媒体の残り枚数が記録枚数より少ない場合、報知することを特徴とする記録装置。
【００２５】
前記更新手段が前記メモリを更新するのは記録動作終了後であることを特徴とする記録装置。
【００２６】
前記更新手段が前記メモリを更新する値は記録動作後の残り枚数であることを特徴とする記録装置。
【００２７】
前記更新手段が更新するメモリとは未記録部の先頭記録媒体に内蔵されたメモリであることを特徴とする記録装置。
【００２８】
前記更新手段は記録装置本体内部メモリと、前記未記録部の先頭記録媒体に内蔵されたメモリとを更新することを特徴とする記録装置。
【００２９】
記録動作開始前、前記記録装置本体内部メモリと、前記未記録部の先頭記録媒体に内蔵されたメモリとを比較する第２の比較手段を有することを特徴とする記録装置。
【００３０】
前記第２の比較手段により比較した結果、不一致の場合、記録媒体が交換されたと判定する判定手段を有することを特徴とする記録装置。
【００３１】
記録媒体表面に記録する記録手段と、無線通信素子と通信する複数の無線通信手段を有する記録装置において、
第１の無線通信手段が読み出した情報をもとに、残り枚数を検出する検出手段と、
前記検出手段で検出した残り枚数を記憶するメモリと、
前記メモリに記憶された記録媒体の残り枚数と記録枚数を比較する比較手段と、前記メモリに記憶された残り枚数を更新する更新手段と、
更新された残り枚数を無線通信素子に書き込む第２の無線通信手段をもつことを特徴とする記録装置。
【００３２】
前記第１の無線通信手段で読み出す情報とは、先頭の記録媒体に内蔵された無線通信素子の情報であることを特徴とする記録装置。
【００３３】
前記更新手段が前記メモリを更新するのは記録動作終了後であることを特徴とする記録装置。
【００３４】
前記更新手段が前記メモリを更新する値は記録動作後の残り枚数であることを特徴とする記録装置。
【００３５】
前記第２の無線通信手段が書き込む無線通信素子とは、未記録部の先頭記録媒体に内蔵されたメモリであることを特徴とする、記録装置。
【００３６】
前記更新手段は記録装置本体内部メモリと、前記未記録部の先頭記録媒体に内蔵されたメモリとを更新することを特徴とする記録装置。
【００３７】
記録動作開始前、前記記録装置本体内部メモリと、前記未記録部の先頭記録媒体に内蔵されたメモリとを比較する第２の比較手段を有することを特徴とする記録装置。
【００３８】
前記第２の比較手段により比較した結果、不一致の場合、記録媒体が交換されたと判定する判定手段を有することを特徴とする記録装置。
【００３９】
前記第１の無線通信手段にて情報が読み出せなかった場合、前記第２の無線通信手段にて全ての無線通信素子の情報を読み出し、残り枚数を検出することを特徴とする記録装置。
【００４０】
記録媒体が交換された場合、前記第２の無線通信手段で全ての無線通信素子の情報を読み出し、残り枚数を検出することを特徴とする記録装置。
【００４１】
前記通信手段、無線通信手段とは、ＲＦ−ＩＤタグであることを特徴とする、記録装置。
【００４２】
記録媒体が交換された場合、先頭記録媒体に内蔵された素子に書き込む残り枚数を予め設定することを特徴とする記録装置。
【００４３】
記録媒体に記録する記録手段と、
前記記録媒体に含まれる記憶手段から読み出した情報に基づき、記録可能な記録媒体の残量を検出する検出手段と、
前記検出手段により検出した残量を記憶する記憶手段と、
前記記憶手段に記憶されている残量と前記記憶媒体に記録すべき量とを比較する比較手段と、
前記記憶手段に記憶されている残量を更新する更新手段とを備えた記録装置。
【００４４】
前記更新手段は残量を前記記録媒体に記憶させることを特徴とする記録装置
前記更新手段は残量を未記録の先頭記録媒体に記憶させることを特徴とする
記録装置
記録媒体に記録する記録手段と、
前記記録媒体に含まれる記憶手段から読み出した情報に基づき、記録可能な記録媒体の残量を検出する検出手段と、
前記検出手段により検出した残量を記憶する記憶手段と、
前記記憶手段に記憶されている残量と前記記憶媒体に記録すべき量とを比較する比較手段と、
前記比較結果を報知する報知手段とを備えた記録装置。
【００４５】
前記報知手段は外部装置に通信線を介して比較結果を報知することを
特徴とする記録装置
【作用】
本発明の上記構成によれば、様々な種類の記録媒体に対して正確な残り枚数検出が行える。
【００４６】
また、記録媒体毎に個別に残枚数を記憶させることから、記録する画像データが変わり、使用途中で記録媒体を交換した場合や、使用途中の記録媒体を装着した場合においても正確な残枚数検出が可能である。
【００４７】
【発明の実施の形態】
以下、図面を参照して本発明の実施形態についてインクジェット記録装置を例にとり詳細に説明する。
【００４８】
図１（Ａ）および（Ｂ）は、本発明実施形態に関わる記録装置の外観斜視図である。
【００４９】
（Ａ）ロール紙対応の記録装置
（Ｂ）はカット紙対応の記録装置
である。
【００５０】
これらの図に示す記録装置１００、１０１は、図２に示すようにブラック（Ｋ）、シアン（Ｃ）、淡シアン（ＬＣ）、マジェンタ（Ｍ）、淡マジェンタ（ＬＭ）、イエロー（Ｙ）それぞれのインクを吐出する６本の記録ヘッド３０９Ｋ、３０９Ｃ、３０９ＬＣ、３０９Ｍ、３０９ＬＭ、及び３０９Ｙを備えている。
【００５１】
これらの記録ヘッドは、ラインヘッドであり、搬送される記録媒体の幅に対応した数のインク吐出口（ノズル）をもつ。
【００５２】
キャッピング機構２０４は、各記録ヘッドに対応して設けられ、記録ヘッドのキャッピングの他、予備吐出、ヘッド回復動作時のインク受けを兼ねる。
【００５３】
記録ヘッド３０９Ｋ、３０９Ｃ、３０９ＬＣ、３０９Ｍ、３０９ＬＭ、及び３０９Ｙ、の下方には、搬送ベルトを有した記録媒体搬送機構２０１が設けられ、非接触ＩＣチップが付設された記録媒体２０２（ロール紙）や２０５（カット紙）を搬送しながら、記録媒体２０２や２０５の記録開始位置がブラックの記録ヘッド３０９Ｋの下に到達したときに、ブラックインクを吐出開始する。
【００５４】
同様に記録ヘッド３０９Ｃ、３０９ＬＣ、３０９Ｍ、３０９ＬＭ、及び３０９Ｙ、の順に、それぞれ記録開始位置に記録媒体２０２や２０５が到達すると各色のインクを吐出してカラー記録する。
【００５５】
記録媒体搬送機構２０１の下方には、記録ヘッド３０９Ｋ〜Ｙへ供給するインクを貯蔵したインクカートリッジ２０３が設けられている。
【００５６】
以上に示す機構の動作、および、説明した制御は、ＣＰＵ等を有した制御回路（図３）により実行される。
【００５７】
本発明を実施した記録装置１００の電気的なブロック図を図３に示す。
【００５８】
ホストコンピュータ３００は、Ｉ／Ｆケーブル（通信線）を介して記録データを記録装置１００や１０１に転送して記録処理の開始を指示する。
【００５９】
また、記録装置１００や１０１で記録する記録媒体の枚数、及び記録媒体の種類やサイズ等を指示するコマンドを記録装置１００や１０１に転送して指示できる。
【００６０】
記録装置１００や１０１は、イメージデータコントローラ３０３の機能を使用して、記録データの各色成分のイメージデータをイメージメモリ３１０Ｋ〜３１０Ｙのそれぞれにビットマップ展開して描画する。
【００６１】
こうしてＫ、Ｃ、ＬＣ、Ｍ、ＬＭ、及びＹ、計６色分の各イメージデータをイメージメモリ３１０Ｋ〜３１０Ｙのそれぞれに展開する。
【００６２】
ここで、記録媒体が交換されている場合、メインコントローラ３０１は、第一の非接触ＩＣリーダ／ライタ３０２を用い、記録媒体２０２や２０５に内蔵されている非接触ＩＣチップ４０１から、各非接触ＩＣチップのＩＤを読み出し、そのＩＤの数により残枚数を検出し、記録媒体の先頭の非接触ＩＣチップに残り枚数情報を書き込む。
【００６３】
尚、メインコントローラ３０１は図５、６、７、及び図８に示すフローに対応するプログラムを記憶したメモリを含むＣＰＵを備えている。
【００６４】
上記の書き込みがすむと、次にメインコントローラ３０１は、ヘッドＵ／Ｄモータ（図示せず）により、記録ヘッド３０９Ｋ〜３０９Ｙをキャッピング（待機）位置から記録位置へ移動させる。
【００６５】
ほぼ同時に、記録媒体を記録装置内部で搬送するための搬送モータ（図２、搬送機構２０１参照）を起動し、等速度運転開始する。
【００６６】
更に、給紙モータ３０５により給紙機構３０７（ロール紙対応機種１００であれば給紙機構２００、カット紙対応機種１０１であれば給紙機構２０６）を動作させ、記録媒体の給紙を開始する。
【００６７】
この時、検出した残り枚数と記録枚数の比較を行い、記録枚数＞残枚数であれば、ホストＰＣ上に残り枚数不足警告を表示させる。
【００６８】
記録枚数＜残枚数であれば、記録媒体の搬送に同期して、イメージデータコントローラ３０３がイメージメモリ３１０Ｋ〜３１０Ｙのそれぞれから、対応する色のイメージデータを順次読み出し、ヘッド制御回路３０４を経由して、記録ヘッド３０９Ｋ〜３０９Ｙに転送する。
【００６９】
こうして記録ヘッド３０９Ｋ〜３０９Ｙのそれぞれは、転送されたイメージデータに従ってインクを選択的に吐出し、カラー記録する。
【００７０】
所望枚数の記録が完了すると、第二の非接触ＩＣリーダ／ライタ３１４により記録が終了した次の（未記録の先頭）記録媒体に内蔵されている非接触ＩＣチップ４０１に（記録前残枚数−記録枚数）を新たな残り枚数情報として書き込む（カット紙対応機種は、この機能を第一の非接触ＩＣリーダ／ライタが兼ねる）。
【００７１】
第一、第二の非接触ＩＣリーダ／ライタを備えるのは、無線通信エリアの限定と記録装置の物理的な構造上、動作信頼性をより高く保ちたいことによる。
【００７２】
また、記録が終了した記録媒体は、排紙モータ３１１により排紙動作される。
【００７３】
これらは、ロール紙対応記録装置１００であれば、排紙機構２０７により設定されたサイズ毎にカットすることもできる。
【００７４】
また、カット紙対応記録装置１０１であれば排紙機構２０８にスタックされる。
【００７５】
次に本発明を実施した記録装置１００が使用する。記録媒体の具体例を図４に示す。
【００７６】
４００は連続紙でセパレータ上に複数のラベル４０１が仮付けされ、各ラベル４０１にはＲＦ−ＩＤ素子４０２が内蔵されている。
【００７７】
ＲＦ−ＩＤ素子４０２はメモリを含むＩＣチップ４０３、及びコイル状にパターニングされたアンテナ４０４等から構成されている。
【００７８】
ＩＣチップ４０３内のメモリは例えば不揮発性のＥＥＰＲＯＭが使用される。
【００７９】
ＲＦ−ＩＤ素子４０２は電池等の電源は不要で、例えば記録装置本体側のＲＦ−ＩＤリーダ／ライタ用アンテナから送信される電波の受信電力を利用して動作するものが多い。
【００８０】
４０５はカードやハガキ等に代表される、カット紙タイプの記録媒体で、同様にＲＦ−ＩＤ素子４０２が内蔵されている。
【００８１】
（第１の実施例）
本発明を実施した記録装置の電源投入時、及び用紙交換時の残り枚数検知と、メモリを用いた残り枚数管理を含めた、記録開始から終了までのフローチャートを図５に示す。
【００８２】
まず記録装置の電源が投入されると、メインコントローラ３０１のＣＰＵはプログラムに基づき、第一の非接触ＩＣリーダ／ライタ３０２を起動し、記録装置にセットされている記録媒体（ロール紙、及び、カット紙）の先頭（ページ）の非接触ＩＣチップと通信を行い（ｓ５００）、通信ができればステップｓ５０２に進み、通信ができなければ、ステップｓ５１９に進む。
【００８３】
通信ができた場合、まず、ステップｓ５０２に進むが、エラーが発生していなければそのままステップｓ５０３に進む。
【００８４】
ステップｓ５０３では、第一のＲＦ−ＩＤリーダ／ライタを用い、記録媒体に内蔵されている全ての非接触ＩＣチップと通信を行い、それぞれの非接触ＩＣチップが持つＩＤを取得し、取得したＩＤの個数を計算し、その個数を記録媒体の残枚数とする（ｓ５０４）。
【００８５】
そして検出した残枚数を記録装置本体のメモリ３１３に保存する（ｓ５０５）。
【００８６】
次に記録媒体（用紙）の交換がされているか否かを識別し（ｓ５０６）、交換されていなければ、記録が開始されたか監視する（ｓ５０７）。
【００８７】
やがて、ホストコンピュータ３００から記録指示されると、記録データコマンド（記録枚数データを含む）を受信しメモリ３１３に記憶する（ｓ５０７）。
【００８８】
次にメモリ３１３に保存してある残枚数を読み出し、また、受信したデータから記録枚数を読み出し、記録枚数と残り枚数を比較し（ｓ５０８）、残り枚数が記録する枚数を満足していればステップｓ５０９に進む。
【００８９】
残り枚数が多く（ｓ５０８−Ｙｅｓ）、警告が発生していなければ、そのままステップｓ５１０に進む。
【００９０】
ステップｓ５１０〜ｓ５１３までは所定の記録動作であり、記録動作が終了すると、メモリに保存してある記録前残り枚数から記録枚数をマイナスした値を新たな残り枚数とし、本体メモリ３１３に書き込み、終了する。
【００９１】
一方、ステップｓ５０８で記録枚数に対し残り枚数が足りない場合は、一旦残り枚数不足警報をホストコンピュータの画面上に表示（ｓ５１５）、動作継続するか否か判断、そのまま継続ならｓ５１０に進み記録動作開始する。
【００９２】
そのまま続行せず（ｓ５１５−Ｎｏ）且つ用紙も交換しなければ（ｓ５１６−Ｎｏ）、中断になるが（ｓ５１７）、用紙交換すれば（ｓ５１８）、ステップｓ５００に再度戻り、ＲＦ−ＩＤタグとの通信動作からやり直す。
【００９３】
尚用紙交換の検知は、例えばユーザが用紙交換終了して、オペレーションパネル上にあるＯＮＬＩＮＥキー等が押下された時である（不図示）。
【００９４】
また、ステップｓ５１７で用紙交換後再度動作が進みｓ５０９にて残り枚数不足を示していたフラグはクリヤされる。
【００９５】
次に、ステップ５０１で通信ができない場合を説明すると、偶発的なエラーかを確かめる為エラーフラグをＯＮしてから（ｓ５１９）、リトライするがリトライ回数が予め決めたｎ回目に至ると所望の記録媒体が正しくセットされていないと判断し、警報送出する（ｓ５２１）。
【００９６】
リトライ後、通信が正常にできればエラーフラグはｓ５０２で解除される。
【００９７】
本実施例１に関しては、ロール紙対応記録装置、カット紙対応記録装置ともに実施可能である。
【００９８】
（第２の実施例）
第２実施例による動作フローを図６に示す。
【００９９】
第１実施例との相違点のみ説明する。
【０１００】
第１実施例によると、記録動作を終了して記録前枚数から記録枚数をマイナスした値を残り枚数として、ステップｓ５１４で、記録装置本体のメモリ３１３に書き込みする。
【０１０１】
第２実施例では記録動作を終了して記録前枚数から記録枚数をマイナスした値を残り枚数として、ステップｓ６１４で、未記録の次の先頭ＲＦ−ＩＤタグに書き込みするようにした。
【０１０２】
また、ステップｓ６０８で比較した結果、記録枚数に対し残枚数が足りない場合、一旦残り枚数不足警報（不足枚数等）をホストコンピュータの画面上に表示（ｓ６１５）、動作継続するか否か判断、そのまま継続ならｓ６１０に進み記録動作開始する。
継続せず、中断や用紙交換を伴う場合の進行は実施例１と同様である。
【０１０３】
（第３の実施例）
第３実施例による動作フローを図７に示す。
【０１０４】
ここでは第２実施例との相違点のみ説明する。
【０１０５】
第１実施例によると、記録動作を終了して記録前枚数から記録枚数をマイナスした値を残り枚数として、ステップｓ５１４で、記録装置本体のメモリ３１３に書き込みする。
【０１０６】
第３実施例では記録動作を終了して記録前枚数から記録枚数をマイナスした値を残り枚数として、ステップｓ７１４で、未記録の次の先頭ＲＦ−ＩＤタグに書き込みし、更にステップｓ７１５で残り枚数を記録装置本体のメモリ３１３に書き込みする。
【０１０７】
また、ステップｓ７０８で比較した結果、記録枚数に対し残枚数が足りない場合は、ステップｓ７１６に進み、残枚数不足警告をホストコンピュータの画面上に表示させる。
【０１０８】
また併せて不足枚数も表示させる。
【０１０９】
（第４の実施例）
第４実施例による記録動作時の動作フローを図８に示す。
【０１１０】
ここでは既に説明した第１〜第３実施例との相違点のみ説明する。
【０１１１】
第４実施例では記録動作指令が発生すると、先ず先頭記録媒体内蔵ＲＦ−ＩＤタグ内のメモリに書かれた残り枚数値：ｍを取得（ｓ８００）、続いて本体メモリ３１３に書かれた残り枚数値：ｎを読み出して（ｓ８０１）一致するかを比較する（ｓ８０２）。
【０１１２】
一致していれば、記録媒体の交換はされていないと判断し、残り枚数と指令された記録枚数とを比較する（ｓ８０６）。
【０１１３】
以降、ｓ８１１の記録終了迄は他の実施例と同様である。
【０１１４】
記録動作終了後、記録前残り枚数から記録に使用した枚数の差を記録装置本体の内部メモリ３１３に書き込み（ｓ８１２）、同じ値を未記録の先頭記録媒体に内蔵されたＲＦ−ＩＤにも書き込む（ｓ８１３）。
【０１１５】
ｓ８０６で残り枚数が不足している場合（ｓ８００−Ｎｏ）の動作の進行は実施例１と同じである。
【０１１６】
ｓ８０２にてｍとｎが不一致の場合（ｓ８０２−Ｎｏ）、記録媒体（用紙）が交換されているので既に述べた用紙交換時の処理（全てのＲＦ−ＩＤタグからＩＤを取得後残り枚数算出）を実行してから（ｓ８０３）、算出値を先頭の記録媒体に内蔵されたＲＦ−ＩＤタグに書き込み、同じ値を記録装置本体の内部メモリ３１３にも書き込む。
【０１１７】
そしてｓ８０６に進む。
【０１１８】
本実施例によると、記録媒体（用紙）の交換が行われているか否かの正確な判定が可能であり、電源ＯＮ時、記録開始時共に敏速な動作処理を実現できる。
【０１１９】
【発明の効果】
以上から明らかなように、本発明によれば、記録媒体に内蔵された非接触ＩＣチップ全てのＩＤを取得し、その個数で記録媒体の残枚数を検出する様にしたので、記録媒体が交換された場合でも、正確な残り枚数検出ができる。
【０１２０】
また、ＩＤ取得により検出した残枚数を基に、記録動作後の残枚数管理を正確に行うことができ、記録枚数に対して残枚数不足警告、及び、不足枚数正確に報知できる。
【０１２１】
さらに記録動作後、次の先頭記録媒体の非接触ＩＣチップに残り枚数を書き込むことにより、記録装置起動時や記録媒体を交換された場合、全ての非接触ＩＣチップのＩＤを取得しなくとも、セットされている記録媒体先頭の非接触ＩＣチップの残枚数情報を読み込むだけで、正確かつ速やかに残り枚数を知ることができる。
【０１２２】
本発明の実施例では無線通信素子としてＲＦ−ＩＤ素子に関する説明をしたが、これに限るものではなく磁気カード、光カードに類する記録媒体にも実施可能である。
【０１２３】
【図面の簡単な説明】
【図１】本発明を実施した記録装置の斜視図である。
【図２】本発明を実施した記録装置の内部構成を示す正面図である。
【図３】本発明を実施した記録装置の電気的なブロック図である。
【図４】Ａ　本実施形態の記録媒体（非接触ＩＣ内蔵のロール紙）
を示す正面図である。
Ｂ　本実施形態の記録媒体（非接触ＩＣ内蔵のロール紙）
を示す側面図である。
Ｃ　本実施形態の記録媒体（非接触ＩＣ内蔵のカット紙）
を示す正面図である。
Ｄ　本実施形態の記録媒体（非接触ＩＣ内蔵のカット紙）
を示す側面図である。
【図５】第１の実施例による動作フローチャートである。
【図６】第２の実施例による動作フローチャートである。
【図７】第３の実施例による動作フローチャートである。
【図８】第４の実施例による動作フローチャートである。
【符号の説明】
１００　　　記録装置（ロール紙対応）
１０１　　　記録装置（カット紙対応）
２００　　　給紙機構（ロール紙対応）
２０１　　　搬送機構
２０２　　　ロール紙
２０３　　　インクカートリッジ
２０４　　　回復桶
２０５　　　カット紙
２０６　　　給紙機構（カット紙対応）
２０７　　　排紙機構（ロール紙対応）
２０８　　　排紙機構（カット紙対応）
３００　　　ホストコンピュータ
３０１　　　メインコントローラ
３０２　　　第一の非接触ＩＣリーダ／ライタ
３０３　　　イメージデータコントローラ
３０４　　　ヘッド駆動回路
３０５　　　給紙機構制御モータ
３０６　　　回復機構制御モータ
３０７　　　給紙機構
３０８　　　回復機構
３０９Ｋ　　　記録ヘッド（ブラック）
３０９Ｃ　　　記録ヘッド（シアン）
３０９ＬＣ　　記録ヘッド（ライトシアン）
３０９Ｍ　　　記録ヘッド（マジェンタ）
３０９ＬＭ　　記録ヘッド（ライトマジェンタ）
３０９Ｙ　　　記録ヘッド（イエロー）
３１０Ｋ　　　イメージメモリ（ブラック）
３１０Ｃ　　　イメージメモリ（シアン）
３１０ＬＣ　　イメージメモリ（ライトシアン）
３１０Ｍ　　　イメージメモリ（マジェンタ）
３１０ＬＭ　　イメージメモリ（ライトマジェンタ）
３１０Ｙ　　　イメージメモリ（イエロー）
３１１　　　紙機構制御モータ
３１２　　　排紙機構
３１３　　　メモリ
３１４　　　第一の非接触ＩＣリーダ／ライタ
４００　　　連続紙
４０１　　　ラベル
４０２　　　ＲＦ−ＩＤ素子
４０３　　　ＩＣチップ
４０４　　　アンテナ
４０５　　　カット紙
【図１】
2004058362.tif 000003
【図２】
2004058362.tif 000004
【図３】
2004058362.tif 000005
【図４】
2004058362.tif 000006
【図５】
2004058362.tif 000007
【図６】
2004058362.tif 000008
【図７】
2004058362.tif 000009
【図８】
2004058362.tif 000010